(57)【要約】      （修正有）【課題】均等した光の混合効果を有し、レーザーに相対し、反射体を通じてレーザー光線を反射すると、強度を弱めることができ、更に拡散してピュアな白色光の照明になることができる発光モジュールを提供する。【解決手段】主に一つの発光体２、一つのランプシェード３及び一つの反射体４で構成する発光モジュールの構造であって、該発光体２はランプシェード３の一端と対応、或いは接続し、反射体４は少なくとも一つの円錐面４００を具有して該ランプシェード３の中に接続する。発光体２が点される際、光線がランプシェード３内に投射し、円錐面４００によりランプシェード３の内壁面に反射及び拡散し、更に光源出力口３２に反射してから外部に投射し、照明として使われる。【選択図】図１
0003215471.tif 000002
【実用新案登録請求の範囲】
【請求項１】
一つの発光体、一つのランプシェード、一つの反射体を含み、
該発光体は光源を提供し、
該ランプシェードの中に一つのスペース、一つの光源入力口及び一つの光源出力口を具有し、該光源入力口、スペース及び光源出力口は互いに通じ、該発光体は該光源入力口の部分と対応、或いは接続し、及び、
該反射体をランプシェードのスペースの中に設置し、一つの主体部及び一つの接続部を具有し、該接続部とランプシェードは接続し、該主体部は光源入力口と対応することを特徴とする発光モジュールの構造。
【請求項２】
前記反射体の主体部は一つの円錐面を具有し、該円錐面のヘッド端は該光源入力口と対応することを特徴とする請求項１記載の発光モジュールの構造。
【請求項３】
前記該反射体の主体部は一つの円錐体であり、該円錐体のヘッド端は該光源入力口と対応することを特徴とする請求項１記載の発光モジュールの構造。
【請求項４】
前記該発光体とスペースの間に、一つのライトルーペを接続することを特徴とする請求項１記載の発光モジュールの構造。
【請求項５】
該発光モジュールの中には、更に一つのライトパイプを含み、ライトパイプの一つの端部は、光源入力口に対応してランプシェードのスペース内に固定し、該ライトパイプは中空の一つの通路を具有し、該通路に隣接するライトパイプの内壁には、複数の折れ面を具有することを特徴とする請求項１記載の発光モジュールの構造。
【請求項６】
前記該スペースの壁面に光反射材料を設けることを特徴とする請求項１記載の発光モジュールの構造。
【考案の詳細な説明】
【技術分野】
【０００１】
本考案は一種の発光モジュールの構造に関し、照明として提供する発光モジュールの構造に関する。
【背景技術】
【０００２】
光の三原色は赤(Ｒ)、青(Ｂ)、緑(Ｇ)であり、照明の白色光を得るには、通常赤、青、緑の光線を混ぜ合わせる技術を使って完成する。ただ、一般の点発光源が投射する光線は直線進行であり、光を均等に混ぜるのは簡単ではないため、現れる白色光が不自然でピュアではない。
【０００３】
また、レーザーについては、共振スペースが光線の方向性に対して制限し、レーザー光線の発散角度が小さいため、光の強度が強く、相当遠い距離まで投射することができる。しかし、近い光の照明に適用せず、光を混合するのも一定の難しさがあることを鑑みて、更なる改善が必要であった。
【先行技術文献】
【特許文献】
【０００４】
【特許文献１】特開2014-72194号公報
【考案の概要】
【考案が解決しようとする課題】
【０００５】
前記公知構造の欠点を解決するため、本考案は更に新鋭且つ進歩した「発光モジュール」のデザインを提供するものである。反射体を内蔵するランプシェードを利用して発光源に対応することで、該発光源が生じる光線は、反復して該ランプシェード内で反射、混合することができ、それにより均等した光の混合効果に達する。レーザーに相対し、該反射体を通じてレーザー光線を反射すると、強度を弱めることができ、更に拡散して近い光の照明になることができる発光モジュールを提供することを主な課題とする。
【課題を解決するための手段】
【０００６】
前記課題を解決するために、本考案は発光モジュールの構造を提供するものである。自然でピュアな白色光を照明として得るには、必要な手段としては、多色発光源が投射する光線が、充分に混合できることである。レーザーを含み、普通の照明として使用するには、単色照明或いは多色混合照明に関わらず、まず当該強度を弱め、及び光源を拡散する必要がある。本考案では更に新鋭且つ進歩した「発光モジュール」のデザインを提供するものである。反射体を内蔵するランプシェードを利用して発光源に対応することで、該発光源が生じる光線は、反復して該ランプシェード内で反射、混合することができ、それにより均等した光の混合効果に達する。レーザーに相対し、該反射体を通じてレーザー光線を反射すると、強度を弱めることができ、更に拡散して近い光の照明になることができ、それが本考案の主な目的である。主に含まれるのは一つの発光体、一つのランプシェード及び一つの反射体である。その中、該発光体はランプシェードの一端に対応し、反射体は該ランプシェードの中で接続して該発光体と対応する。
【０００７】
具体的に、該ランプシェード内には更に一つのスペース、一つの光源入力口及び一つの光源出力口を具有する。該スペースの壁面に光反射材料があり、且つ該光源入力口、スペース及び光源出力口は互いに通じる。該発光体は該光源入力口と互いに対応、或いは接続する。
【０００８】
反射体はランプシェードのスペースの中に設ける。一つの主体部及び一つの接続部を具有し、該接続部とランプシェードは接続する。最良は該主体部にヘッド端が光源入力口に向ける一つの円錐面を具有し、或いは、該主体部自体が一つの円錐体である。
【０００９】
単色或いは多色の発光体が点され、光線がランプシェードのスペース内に投射した際、まず反射体の円錐面に当たることで、異なる色の光源が異なる角度でスペースの壁面の光反射材料にまで反射、及び拡散することができ、更に光源出力口にまで反射し、ランプシェードの外部に投射して照明として使用する。
【００１０】
最良実施例として、該ランプシェードの中、該光源入力口の部分に一つの積載台を設けて一つのライトルーペを受けることで、該ライトルーペを発光体とスペースの間に設置する。該ライトルーペを通じることで、光線がスペースに入る前に、まず拡大され、更に均等に光線を反射体の円錐面に投射することができる。
【００１１】
また、該発光モジュールの中には更に一つのライトパイプを含み、該ライトパイプは中空の一つの通路を具有し、該通路に隣接するライトパイプの内壁には、複数の折れ面を具有する。該折れ面は光反射材料で構成する。ライトパイプの一つの端部をランプシェードの積載台の上に固定する。発光体の各点光源体が点され、光線がスペース内に投射する前に、まず該ライトルーペを通過して直線の光線を拡大し、且つ一部を該ライトパイプの折れ面に当てる。折れ面の反射を通じて、光線が通路の中で混合し、更に反射体の円錐面に投射することで、これらまず混合した光源が、スペースの壁面の光反射材料に反射し、更に混合を行ってから光源出力口の外部に反射して照明として使用する。
【００１２】
本考案のその他の細部構造、及び生じる良し悪しの効果については、後述の実施方法にて詳細に説明する。
【考案の効果】
【００１３】
本考案の構造により、該発光体はランプシェードの一端と対応、或いは接続し、反射体は少なくとも一つの円錐面を具有して該ランプシェードの中に接続する。発光体が点される際、光線がランプシェード内に投射し、反射体円錐面によりランプシェードの内壁面に反射及び拡散し、更に光源出力口に反射してから外部に投射し、照明として使われる。
【図面の簡単な説明】
【００１４】
【図１】本考案の第一実施例分解図である。
【図２】本考案の第一実施例組立図である。
【図３】本考案の第二実施例組立図である。
【図４】本考案の第二実施例のライトパイプの構造図である。
【考案を実施するための形態】
【００１５】
以下、本考案の構造と特徴および効果を、最良実施例と図面を参照しながら詳細に説明する。
【実施例１】
【００１６】
図１及び図２は本考案の第一実施例である。該発光モジュール１に含まれるのは一つの発光体２、一つのランプシェード３及び一つの反射体４である。その中、該発光体２は該ランプシェード３の一端と対応、或いは接続し、反射体４は該ランプシェード３の中で接続する。
【００１７】
前記発光体２は一つの単色、或いは複数の異なる色の点光源体、例えば赤色点光源体２０、青色点光源体２１、緑色点光源体２２などによって構成される。それらの点光源体は例えば発光ダイオード(ＬＥＤ)、或いはレーザーダイオード(ＬＤ)の一種の半導体部品とすることができる。
【００１８】
前記ランプシェード３の中に一つのスペース３０、一つの光源入力口３１及び一つの光源出力口３２を具有する。該スペース３０の壁面に光反射材料３３があり、且つ該光源入力口３１、スペース３０及び光源出力口３２は互いに通じる。発光体２は該光源入力口３１の部分と対応、或いは接続する。最良実施例として、ランプシェード３の中、該光源入力口３１の部分に一つの積載台３４を設けて一つのライトルーペ５を受けることで、該ライトルーペ５を発光体２とスペース３０の間に設置する。
【００１９】
前記反射体４をランプシェード３のスペース３０の中に設置し、一つの主体部４０及び一つの接続部４１を具有し、該接続部４１とランプシェード３は接続する。最良は該主体部４０にヘッド端が光源入力口３１に向ける一つの円錐面４００を具有し、或いは、該主体部４０自体が一つの円錐体である。
【００２０】
組み立てる際、図２のように、発光体２をランプシェード３の光源入力口３１と対応、或いは接続し、反射体４はランプシェード３のスペース３０の中で接続して該発光体と対応する。発光体２の点光源体２０、２１、２２が点され、光線がスペース３０内に投射する前に、まずライトルーペ５を通過して、直線の光線を拡大して反射体４の円錐面４００にまで拡散することで、それらの異なる色の光源はスペース３０の壁面の光反射材料３３にまで異なる角度で反射及び拡散し、更に光源出力口３２にまで反射する。その過程において、それらの異なる色の光源はランプシェード３のスペース３０の中で絶えず、反復して反射により交錯、混色することで、該複数の点光源体２０、２１、２２の異なる色の混合光を得る。例えば、仮にそれらの点光源体がそれぞれ赤、青、緑色光とし、光を混色した後に生じる白色光が光源出力口３２より投射する。その中、光の混合が均等であればあるほど、投射する白色光がピュアになる。これはなぜランプシェード３の中に、円錐反射体４を設置する原因でもある。
【００２１】
ちなみに、仮に該発光体２が発射するのが一種のレーザーライトであり、該反射体４を通じて該レーザー光線を反射及び拡散し、更にランプシェード３を通じて反射すれば、該レーザーの強度を軽減し、且つ拡散して近い光照明として使用することができる。
【実施例２】
【００２２】
続いて図３及び図４は本考案の第二実施例である。図４に示すように、該発光モジュール１の中には、更に一つのライトパイプ６を含む。該ライトパイプ６は中空の一つの通路６０を具有し、該通路に隣接するライトパイプ６の内壁には、複数の折れ面６１を具有する。該折れ面６１は光反射材料で構成する。組み立てる際、図３に示すように、該ライトパイプ６の一つの端部をランプシェード３内に固定する。例えば図に示す積載台３４の上に固定する。発光体２の各点光源体２０、２１、２２が点され、光線がスペース３０の中に投射される前に、まずライトルーペ５を通過して直線の光線を拡大し、且つ一部を該ライトパイプ６の折れ面６１の上に拡散する。折れ面６１を通じての反射により、光線が通路６０の中で混合してから反射体４の円錐面４００に投射することで、これらまず光を混色する光源はスペース３０の壁面の光反射材料にまで異なる角度で反射し、更に混合した後、光源出力口３２に反射し、ランプシェード３の外部に投射して照明として使用する。
【００２３】
本考案のデザインにより、発光体２の光源を反復してランプシェード３のスペース３０の中で交錯、混合することができる。ユーザーは欲しい光の色は、このような光の混色方法を通じて、更に均等でピュアな光の効果に達することができ、しかも、該発光体２本体にランプシェード３を配置しているため、ランプシェード３の形状を変化するだけで、光線が投射して出る角度を変えることができ、異なる使用ニーズを満たすことができ、更に実用性及び進歩性を具有する。
【００２４】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２５】
１  発光モジュール
２  発光体
２０  赤色点光源体
２１  青色点光源体
２２  緑色点光源体
３  ランプシェード
３０  スペース
３１  光源入力口
３２  光源出力口
３３  光反射材料
３４  積載台
４  反射体
４０  主体部
４００  円錐面
４１  接続部
５  ライトルーペ
６  ライトパイプ
６０  通路
６１  折れ面
【図１】
0003215471.tif 000003
【図２】
0003215471.tif 000004
【図３】
0003215471.tif 000005
【図４】
0003215471.tif 000006